(57)【要約】【課題】  ドットラインプリンタ固有の印刷制御方法の一つである印刷制限が変わらないように、印刷すべき印刷イメージを別の印刷イメージに変換して印刷する。【解決手段】  １ドットラインを左から８ドット刻みでブロック１〜ブロック３０６分けてブロック単位毎に印刷イメージを分割し、次にこれらの分割されたブロック毎にブロック内印刷イメージ変換テーブルに従って印刷イメージを変換し、印刷制限の元になる印刷ｄｕｔｙと罫線長／罫線数を変えることなしに印刷イメージを変換する。【選択図】  図２
2006159486.tif 000002
【特許請求の範囲】
【請求項１】
印刷を行う複数のハンマで構成されるハンマ機構部をシャトル機構部により水平方向に往復動作し、同時にリボン機構部によりリボンを水平方向に移動させてライン印刷を行い、ライン印刷が終了した時に用紙を搬送して印刷紙送りをするドットラインプリンタで、ドットラインプリンタ固有の印刷制御方法の一つである印刷制限が変わらないように、印刷すべき印刷イメージを別の印刷イメージに変換して印刷する機能を有するドットラインプリンタ。
【発明の詳細な説明】
【技術分野】
【０００１】
本発明は、印刷を行う複数のハンマで構成されるハンマ機構部をシャトル機構部により水平方向に往復動作し、同時にリボン機構部によりリボンを水平方向に移動させてライン印刷を行い、ライン印刷が終了した時（ハンマ機構部が右端または左端に来た時）に用紙を搬送して印刷紙送りをするドットラインプリンタに関するものである。
【背景技術】
【０００２】
印刷装置では、保守管理をするために印刷量やエラーログを記憶したり、障害が発生した時に原因追求がしやすくなるように随時装置の制御内容を記憶している。そして、この記憶している装置の状態を示す手段として、操作パネルや上位装置（ＰＣ等）等に出力する他に、装置自体で状態を印刷する手段を有する装置もある。また、ダンプ出力をより解析しやすいように、制御データとダンプデータを並べて印刷するなどの見やすくする工夫がなされているものもある（例えば、特許文献１参照。）。
【０００３】
【特許文献１】特開平０８−０１６４３６号公報
【発明の開示】
【発明が解決しようとする課題】
【０００４】
従来技術では、印刷装置に障害が発生した時には、装置の接続形態、印刷内容、そして印刷装置に記憶されているログデータをもとに障害の解析が行われる。しかし、障害発生時の印刷内容に個人情報や機密情報が入るような印刷をしていた場合には、その場で印刷物を見ることは出来たとしても、遠方にいる障害解析者へ即座にＦＡＸしたり、その印刷サンプルを送付したりすることは出来ない。このため、後日プログラムを変更したり、データ値を他の値に変更した上で再度印刷してから障害解析者へ送付しなければならないため、障害解析が遅れる場合があった。また、ドットラインプリンタでは、印刷パターン（印刷密度や罫線数など）により印刷の仕方が変わってくるため、ドットラインプリンタの特性を知らない人が製作した代替えパターンでは現象の特定が出来なくなる場合があった。
【課題を解決するための手段】
【０００５】
本発明は、元の印刷データから、ドットラインプリンタ固有の印刷制御方法の一つである印刷制限が変わらないように、印刷すべき印刷イメージを別の印刷イメージに変換して印刷することを主要な特徴とする。
【発明の効果】
【０００６】
本発明の印刷イメージ変換制御を搭載したドットラインプリンタでは、障害が発生した場合に、印刷イメージを別のイメージに変換して印刷させることで、個人情報や機密情報が分からなくなるため、遠方にいる障害解析者へ即座にＦＡＸしたり、印刷サンプルを送付することが出来、いち早く障害解析が出来るという利点がある。
【発明を実施するための最良の形態】
【０００７】
ドットラインプリンタ固有の制御が変わらないように印刷イメージを変換する目的を、上位装置等を操作せずに機器単体で実現した。
【実施例１】
【０００８】
先ず、図３、図４により、ドットラインプリンタの印刷制御を先に説明する。
【０００９】
ドットラインプリンタは、図４に示すハンマモジュール群を有するハンマ機構部は、一回の移動で１２ドットラインの印刷が出来る。すなわち、この一回の移動で最大印刷出来る範囲は、縦１．６９ｍｍ（１２／１８０インチ）、横３４５．４４ｍｍ（１３．６インチ）となり、最大（ベタ黒印刷）で２９３７６ドットの印刷が出来る。しかし、ハンマ機構部の発熱および電源の容量などから、ハンマ機構部の一回の移動で印刷できる印刷量やハンマ機構部の移動速度等に印刷制限をもうけている。
【００１０】
この印刷制限は、図３に示すメカ制御部３４で行われ、インターフェース部３３から送信されてくるデータが１２ドットライン（縦１２ドット×横２４４８ドット）たまる毎に、制限が決められて印刷が開始される。
【００１１】
主に印刷制限は、印刷ｄｕｔｙ値からくるものと罫線数からくるものに分けられる。印刷ｄｕｔｙとは１２ドットライン全部印刷する時を１００％としており、印刷ｄｕｔｙ値が高いほどハンマは発熱し、電源容量も必要となる。例えば、印刷ｄｕｔｙが（ベタ黒印刷）１００％の場合には、２５％ずつの４回に分けて印刷を行うように印刷制御をしている。また、横罫線の様に一つのハンマが連続して印刷すると、発熱や他のピンの駆動により磁気干渉を受けて、ハンマの連続応答性が悪くなるため、印刷かすれが出やすくなる。このため、罫線数が多い場合にも、何回かに分けて印刷したり、ハンマ機構部の移動速度を落として印刷する印刷制限をしている。図３において、３０上位装置、３１はドットラインプリンタ、３２は電源、３５は操作パネル、３６はハンマ機構部、３７はシャトル機構部、３８はリボン機構部、３９は紙送り機構部を示す。
【００１２】
本発明は、図３に示す操作パネル３５で印刷イメージ変換モードを有効にすることで、印刷イメージを別の印刷イメージにして印刷することが出来る。
【００１３】
図２では、最初に［１ドットラインイメージ］に示した通り、１ドットラインを左から８ドット刻みでブロック１〜ブロック３０６に分けてブロック単位毎に印刷イメージを分割する。次にこれらの分割されたブロック毎に［ブロック内印刷イメージ変換テーブル］に従って印刷イメージを変換している。この印刷イメージ変換では、ドットが連続して続かないように、変換テーブルが設定される。このようにして、印刷制限の元になる印刷ｄｕｔｙと罫線長／罫線数を変えることなしに印刷イメージを変換することを可能にしている。
【００１４】
図１では、図２で示した［ブロック内印刷イメージ変換テーブル］を元に、実際の印刷パターンを変換するとどのようになるのか示した例である。本例は単に”漢字  漢字”のパターンを印刷した時の例である。この”漢字  漢字”のパターンを拡大して、ブロックに当てはめてみると、同じ２つの”漢字”でもブロックの切れ目が異なっているため、それぞれに変換された”漢字”のイメージは別のイメージとなっている。このため、元の印刷イメージを分からなくするばかりでなく、同じ印刷イメージが指定されたとしても、同じ印刷イメージにならない確率が高いため、更に、元のイメージを分かりにくくした印刷が可能である。
【図面の簡単な説明】
【００１５】
【図１】ドットラインプリンタの印刷イメージ変換制御の制御結果を示した説明図である。（実施例１）
【図２】ドットラインプリンタの印刷イメージ変換制御の実施方法を示した説明図である。（実施例１）
【図３】ドットラインプリンタの制御のブロック図である。（実施例１）
【図４】ドットラインプリンタのハンマモジュール群の説明図である。（実施例１）
【符号の説明】
【００１６】
３０は上位装置、３１はドットラインプリンタ、３２は電源、３３はインターフェース部、３４はメカ制御部、３５は操作パネル、３６はハンマ機構部、３７はシャトル機構部、３８はリボン機構部、３９は紙送り機構部である。
【図１】
2006159486.tif 000003
【図２】
2006159486.tif 000004
【図３】
2006159486.tif 000005
【図４】
2006159486.tif 000006